(57)【要約】【課題】セキュリティーを強化することができる表示装置、およびセキュリティーを強化することができる表示システムを提供すること。【解決手段】使用者の頭部に取り付けられる装着部と、前記装着部に配置され、前記使用者が視認する画像を表示する画像表示部と、前記装着部が前記頭部に取り付けられる第１状態と、前記装着部が前記頭部から取り外される第２状態とを検出する状態検出部と、前記状態検出部が前記第２状態を検出すると、前記画像表示部に対して画像の表示を停止させる表示制御部と、を備えることを特徴とする頭部装着表示装置。【選択図】図１
2020027192.tif 000002
【特許請求の範囲】
【請求項１】
使用者の頭部に取り付けられる装着部と、
前記装着部に配置され、前記使用者が視認する画像を表示する画像表示部と、
前記装着部が前記頭部に取り付けられる第１状態と、前記装着部が前記頭部から取り外される第２状態とを検出する状態検出部と、
前記状態検出部が前記第２状態を検出すると、前記画像表示部に対して画像の表示を停止させる表示制御部と、を備えることを特徴とする頭部装着表示装置。
【請求項２】
前記状態検出部が前記第２状態を検出すると、前記第２状態を示す非装着情報を送信する情報送信部をさらに備える請求項１に記載の頭部装着表示装置。
【請求項３】
使用者の頭部に取り付けられる頭部装着表示装置と、
前記頭部装着表示装置と通信可能で、前記頭部装着表示装置に対して各種情報を提供するサーバーと、を備え、
前記頭部装着表示装置は、
前記使用者が視認する画像を表示する画像表示部と、
前記頭部に取り付けられる第１状態と、前記頭部から取り外される第２状態とを検出する状態検出部と、
前記状態検出部が前記第２状態を検出すると、前記第２状態を示す非装着情報を送信する情報送信部と、を備え、
前記サーバーは、
前記情報送信部から送信される前記非装着情報を受信すると、前記頭部装着表示装置による前記各種情報に対するアクセスを制限する管理部を備えることを特徴とする表示システム。
【請求項４】
前記頭部装着表示装置は、前記使用者の生体的特徴を検出する特徴検出部をさらに備える請求項３に記載の表示システム。
【請求項５】
前記特徴検出部は、前記状態検出部が前記第１状態を検出すると、前記生体的特徴を検出し、
前記管理部は、前記生体的特徴に基づく情報を基にして、前記使用者の正当性を判断し、
前記画像表示部は、前記管理部の判断結果に対応する画像を表示する請求項４に記載の表示システム。
【請求項６】
前記画像表示部は、前記管理部が前記使用者の正当性を否定すると、前記頭部装着表示装置の返却を促すことを示す画像を表示する請求項５に記載の表示システム。
【請求項７】
前記特徴検出部は、前記生体的特徴を定期的に検出し、
前記管理部は、前記使用者の正当性を定期的に判断する請求項５または６に記載の表示システム。
【請求項８】
前記管理部は、前記情報送信部が所定期間内において複数回前記非装着情報を送信すると、前記アクセスを制限する請求項３ないし７のいずれか１項に記載の表示システム。
【発明の詳細な説明】
【技術分野】
【０００１】
本発明は、頭部装着表示装置、および表示システムに関する。
【背景技術】
【０００２】
ユーザーに装着され、ユーザーの眼前で画像を表示するヘッドマウントディスプレイが提案されている。特許文献１には、ヘッドマウントディスプレイと、これを制御する制御装置と、を備える映像表示システムが開示される。かかる映像表示システムでは、好適な視聴環境を提供するため、制御装置は、ヘッドマウントディスプレイの装着を検出するとヘッドマウントディスプレイに対して映像信号を出力し、取り外したことを検出するとヘッドマウントディスプレイに対して映像信号の出力を制限する。
【先行技術文献】
【特許文献】
【０００３】
【特許文献１】国際公開第２０１６／１９９６９９号
【発明の概要】
【発明が解決しようとする課題】
【０００４】
しかし、特許文献１の映像表示システムでは、装着を検出するとヘッドマウントディスプレイに対して映像信号が出力されるため、持ち主がヘッドマウントディスプレイを取り外して放置すると、持ち主以外の者がヘッドマウントディスプレイの映像を視認できてしまい、セキュリティー上の課題がある。
【課題を解決するための手段】
【０００５】
本発明の頭部装着表示装置の一態様によれば、使用者の頭部に取り付けられる装着部と、前記装着部に配置され、前記使用者が視認する画像を表示する画像表示部と、前記装着部が前記頭部に取り付けられる第１状態と、前記装着部が前記頭部から取り外される第２状態とを検出する状態検出部と、前記状態検出部が前記第２状態を検出すると、前記画像表示部に対して画像の表示を停止させる表示制御部と、を備える。
【０００６】
また本発明の表示システム一態様によれば、使用者の頭部に取り付けられる頭部装着表示装置と、前記頭部装着表示装置と通信可能で、前記頭部装着表示装置に対して各種情報を提供するサーバーと、を備え、前記頭部装着表示装置は、前記使用者が視認する画像を表示する画像表示部と、前記頭部に取り付けられる第１状態と、前記頭部から取り外される第２状態とを検出する状態検出部と、前記状態検出部が前記第２状態を検出すると、前記第２状態を示す非装着情報を送信する情報送信部と、を備え、前記サーバーは、前記情報送信部から送信される前記非装着情報を受信すると、前記頭部装着表示装置による前記各種情報に対するアクセスを制限する管理部を備える。
【図面の簡単な説明】
【０００７】
【図１】第１実施形態にかかる表示システムを示す概念図である。
【図２】第１実施形態にかかる表示システムの構成を示すブロック図である。
【図３】第１実施形態における表示制御方法を説明するためのシーケンスチャートである。
【図４】第２実施形態における表示制御方法を説明するためのシーケンスチャートである。
【図５】第２実施形態における表示装置の使用者への返却を促すことを示す画像の一例である。
【図６】第３実施形態における表示制御方法を説明するためのシーケンスチャートである。
【図７】第４実施形態における表示装置のブロック図を示す図である。
【図８】第４実施形態における表示装置を説明するためのフローチャートである。
【発明を実施するための形態】
【０００８】
以下、添付図面を参照しながら本発明に係る好適な実施形態を説明する。なお、図面において各部の寸法や縮尺は実際のものと適宜異なり、理解を容易にするために模式的に示す部分もある。また、本発明の範囲は、以下の説明において特に本発明を限定する旨の記載がない限り、これらの形態に限られない。
【０００９】
１．第１実施形態
１−１．表示システムの全体構成
図１は、第１実施形態にかかる表示システムを示す概念図である。表示システム１００は、「頭部装着型表示装置」の一例である表示装置１と、表示装置１に対して各種情報を提供するサーバー５と、を備える。サーバー５は、通信回線を介してネットワーク４０に接続される。ネットワーク４０には、複数のアクセスポイント等の無線機４１が接続されており、表示装置１は、無線機４１を介してネットワーク４０に接続される。
【００１０】
なお、サーバー５は、ネットワーク４０上のクラウドサーバーであってもよい。また、表示装置１とサーバー５とが通信可能であれば、その間のネットワーク構成は特に限定されない。例えば、表示装置１とサーバー５とは、ネットワーク４０を経由せずに直接データ通信を行ってもよい。また、図示では、表示装置１およびサーバー５は、それぞれ１つ図示されているが、これらはそれぞれ複数であってもよい。
【００１１】
また、図１に示す表示装置１は、使用者の頭部に装着される透過型のヘッドマウントディスプレイ（ＨＭＤ）である。表示装置１は、使用者が視認可能な画像を外界像と重畳した状態で視認させる。なお、表示装置１は、透過型ではなく、非透過型であってもよい。
【００１２】
表示装置１は、眼鏡のフレームのような外観をなし、使用者の頭部に取り付けられる装着部１０を有する。装着部１０は、リムおよびブリッチを含むフロント部１１と、フロント部１１の両側から延出する一対のテンプル１２Ｒおよび１２Ｌと、を含む。また、フロント部１１には、ノーズパッド１３が設けられる。ノーズパッド１３は、使用者が表示装置１を頭部に装着したときに使用者の鼻に当接する。ノーズパッド１３とテンプル１２Ｒおよび１２Ｌとによって、表示装置１を使用者の頭部に保持できる。なお、「装着部」は、使用者の頭部に取り付けられる構成であれば、図示の構成に限定されない。
【００１３】
かかる表示システム１００は、使用者の目的に応じて利用することができるが、例えば、警備のために用いることができる。その場合、表示装置１は、監視すべき所在地を含む地図を示す画像、または危険人物のデータベースを示す画像を使用者に対して視認させる。また、表示装置１は、例えば、工場または医療機関等で用いることができる。例えば、工場で用いる場合、表示装置１は、工場内に設置される装置に関する内容を示す画像、または工場内の地図を示す画像を外界像と重畳した状態で使用者に対して視認させる。また、例えば、医療機関で用いる場合、表示装置１は、患者の医療データを示す画像、または医療機器に関する内容を示す画像を外界像と重畳した状態で使用者に対して視認させる。
【００１４】
図２は、第１実施形態にかかる表示システムの構成を示すブロック図である。
【００１５】
１−１Ａ．表示装置
表示装置１は、画像表示部２１と、状態検出部２２と、特徴検出部２３と、通信部２４と、記憶部２５と、制御部２６と、を有する。これらは、前述の装着部１０に設けられる。なお、図示はしないが、表示装置１は、例えばリチウムイオン二次電池等の二次電池で構成されるバッテリー、およびバッテリーからの電力を制御部２６等に供給する電源回路を有する。以下、表示装置１が有する各部を説明する。
【００１６】
１−１Ａａ.画像表示部
画像表示部２１は、駆動回路２１１と、映像光生成部２１２と、光学系２１３とを有する。画像表示部２１は、映像光を生成する。使用者は、映像光により形成された画像を視認できる。
【００１７】
駆動回路２１１は、映像光生成部２１２を駆動させる。駆動回路２１１は、映像光生成部２１２に対して制御信号および駆動信号を供給する。また、映像光生成部２１２は、映像光を光学系２１３に出射する。映像光生成部２１２は、例えば、発光素子として有機ＥＬ（Electroluminescence）素子または無機ＥＬ素子を備えるＥＬ表示パネルを含んで構成される。なお、映像光生成部２１２としては、例えば、ＬＥＤ（light emitting diode）等の光源と、液晶を有する液晶表示パネルとを備える構成であってもよい。また、映像光生成部２１２としては、例えば、Ｒ（赤）、Ｇ（緑）およびＢ（青）の光をそれぞれ発する複数の半導体レーザーと、半導体レーザーの光を走査する光スキャナーとを含む構成であってもよい。
【００１８】
また、光学系２１３は、映像光を使用者の眼に導く機能を有する。光学系２１３は、例えばハーフミラー等のレンズを有する。
【００１９】
１−１Ａｂ.状態検出部
状態検出部２２は、装着部１０が使用者の頭部に取り付けられる第１状態と、装着部１０が頭部から取り外される第２状態とを検出する。
【００２０】
状態検出部２２は、例えば、使用者の表示装置１への近接を検出する近接センサーを含んで構成される。近接センサーの検出方式としては、電磁誘導を利用する検出方式、静電容量の変化を検出する方式等が挙げられる。かかる状態検出部２２は、例えば、図１に示すように、装着部１０のテンプル部１２Ｌおよび１２Ｒのフロント部１１寄りに設けられる。また、状態検出部２２による検出距離は、例えば、１ｍｍ以上１０ｍｍ以下程度である。
【００２１】
状態検出部２２は、前述のように、第１状態と、第２状態とを検出する。つまり、状態検出部２２は、第１状態に応じた信号と、第２状態に応じた信号を出力する。例えば、予め定めた基準値を超える信号の出力が、第１状態の検出に相当し、当該基準値以下の信号の出力が、第２状態の検出に相当する。なお、信号の出力の有無が、第１状態および第２状態の検出に相当してもよい。
【００２２】
なお、状態検出部２２は、使用者が表示装置１の第１状態および第２状態を検出可能であれば、近接センサーを含む構成に限定されず、いかなる構成であってもよい。例えば、状態検出部２２は、使用者が表示装置１を装着すると、光が遮断されるライトカーテン等を含む構成であってもよい。
【００２３】
１−１Ａｃ.特徴検出部
特徴検出部２３は、使用者の生体的特徴を検出する。生体的特徴とは、使用者を認証するための使用者の身体等に関わる特徴であって、例えば、使用者の指紋、顔、虹彩、および音声等である。
【００２４】
特徴検出部２３としては、例えば、指紋を読み取る指紋検出器、顔または眼を撮像するＣＣＤ（Charge Coupled Device）カメラ、音声を取得するマイクロホン等が挙げられる。特に、特徴検出部２３は、指紋検出器であることが好ましい。指紋検出器は、指紋以外の他の生体的特徴を検出する他の機器に比べて、安価でかつ小型な構成を実現し易いためである。指紋検出器としては、指紋の凹凸に起因する静電容量の差を利用する方式の機器、および指紋の凹凸に起因する光の反射を利用する方式の機器等が挙げられる。また、特徴検出部２３が指紋検出器である場合には、特徴検出部２３の指紋を読み取る読取部は、例えば、装着部１０のテンプル部１２Ｌおよび１２Ｒに設けられる。
【００２５】
なお、特徴検出部２３は、１つの機器で構成されておらず、複数の機器で構成されてもよい。例えば、特徴検出部２３は、指紋検出器と、ＣＣＤカメラとを有してもよい。
【００２６】
また、表示装置１は、温度を計測する温度センサー、湿度を検出する湿度センサー、加速度を検出する加速度センサー、角速度を検出するジャイロセンサー、および地磁気を検出する地磁気センサー等を備えてもよい。また、これら各センサーは、前述の状態検出部２２または特徴検出部２３として用いてもよい。
【００２７】
１−１Ａｄ.通信部
通信部２４は、例えばＷｉ−Ｆｉ等により、無線機４１を介してネットワーク４０と接続するためのインターフェース（Ｉ／Ｆ）である。なお、Ｗｉ−Ｆｉは、登録商標である。通信部２４は、例えば無線ＬＡＮモジュールを含んで構成される。
【００２８】
通信部２４は、サーバー５に対して各種情報を送信する情報送信部２４１と、サーバー５から各種情報を取得する情報受信部２４２と、を有する。情報送信部２４１は、前述の状態検出部２２が第１状態を検出すると、装着情報Ｄ１０をサーバー５に対して送信する。装着情報Ｄ１０は、第１状態であること、すなわち表示装置１が使用者に取り付けられていることを示す情報である。また、情報送信部２４１は、前述の状態検出部２２が第２状態を検出すると、非装着情報Ｄ２０をサーバー５に対して送信する。非装着情報Ｄ２０は、第２状態であること、すなわち表示装置１が使用者から取り外されていることを示す情報である。また、情報送信部２４１は、特徴検出部２３が検出した生体的特徴に基づく生体情報Ｄ３０を送信する。
【００２９】
１−１Ａｅ.記憶部
記憶部２５は、制御部２６が読取可能な記録媒体であり、制御部２６が実行する複数のプログラム、制御部２６が使用する各種データ等を記憶する。具体的には、記憶部２５は、装着情報Ｄ１０、非装着情報Ｄ２０、生体情報Ｄ３０、および画像情報Ｄ４０を記憶する。画像情報Ｄ４０は、記憶部２５に予め記憶されている情報であるが、記憶部２５は、サーバー５から提供される各種情報をさらに記憶してもよい。また、記憶部２５は、後述する表示制御を実行するための表示制御プログラムＰ１を記憶している。
【００３０】
記憶部２５は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００３１】
１−１Ａｆ.制御部
制御部２６は、表示装置１の各部の制御、および演算等の各種処理を行う。制御部２６は、例えばＣＰＵ（Central Processing Unit）等のプロセッサーである。制御部２６は、記憶部２５に記憶される表示制御プログラムＰ１を実行することにより、表示制御部２６１、状態情報処理部２６２、および生体情報処理部２６３として機能する。
【００３２】
表示制御部２６１は、記憶部２５に記憶される画像情報Ｄ４０、またはサーバー５から提供される各種情報に基づいて画像信号を生成し、駆動回路２１１に対して画像信号を供給する。なお、前述の駆動回路２１１は、表示制御部２６１の制御の下、当該画像信号に基づく制御信号を映像光生成部２１２に供給する。また、状態情報処理部２６２は、状態検出部２２から出力される第１状態に応じた信号を基にして、装着情報Ｄ１０を生成する。また、状態情報処理部２６２は、状態検出部２２から出力される第２状態に応じた信号を基にして、非装着情報Ｄ２０を生成する。また、生体情報処理部２６３は、特徴検出部２３から出力される生体的特徴を基にして、生体情報Ｄ３０を生成する。
【００３３】
１−１Ｂ．サーバー
サーバー５は、通信部５１と、記憶部５２と、制御部５３と、を有する。サーバー５は、機密情報Ｘ１等の各種情報を表示装置１に提供する。機密情報Ｘ１は、機密情報Ｘ１へのアクセス権限を有する正当な使用者のみに開示が許された情報である。例えば、表示システム１００が警備のために用いられる場合、機密情報Ｘ１としては、監視すべき所在地を含む地図を示す画像情報、および危険人物のデータベースを示す画像情報等が挙げられる。
【００３４】
１−１Ｂａ.通信部
通信部５１は、例えばＬＡＮカード等を含んで構成される。通信部５１は、表示装置１に対して機密情報Ｘ１等の各種情報を提供する機能、および表示装置１から生体情報Ｄ３０等の各種情報を受信する機能を有する。
【００３５】
１−１Ｂｂ.記憶部
記憶部５２は、制御部５３が読取可能な記録媒体であり、制御部５３が実行する複数のプログラム、制御部５３が使用する各種データ等を記憶する。具体的には、記憶部５２は、生体情報Ｄ３、および機密情報Ｘ１を記憶する。ここで、サーバー５が記憶している生体情報Ｄ３は、表示装置１から送信される生体情報Ｄ３０のうち、機密情報Ｘ１へのアクセス権限を有する正当な使用者の情報である。したがって、前述の生体情報Ｄ３０は、正当な使用者の生体情報Ｄ３と、それ以外の者の生体情報とを含む。
【００３６】
なお、記憶部５２は、前述の記憶部２５と同様に、記憶回路の１種類以上で構成される。また、サーバー５が複数の表示装置１と接続されている場合、記憶部５２は、表示装置１ごとに生体情報Ｄ３を記憶する。
【００３７】
１−１Ｂｃ.制御部
制御部５３は、サーバー５の各部の制御、および演算等の各種処理を行う。制御部５３は、例えばＣＰＵ（Central Processing Unit）等のプロセッサーである。また、制御部５３は、管理部５３１として機能する。
【００３８】
管理部５３１は、表示装置１の使用者の正当性を判断する。具体的には、管理部５３１は、前述の情報送信部２４１から送信される生体情報Ｄ３０と、記憶部５２に記憶されている生体情報Ｄ３とを基にして、使用者の正当性を判断する。また、管理部５３１は、正当性の判断結果を基にして、表示装置１による機密情報Ｘ１へのアクセスの許可、またはアクセスの制限を行う。具体的には、管理部５３１は、使用者が正当であると判断すると、表示装置１による機密情報Ｘ１へのアクセスを許可する。一方、管理部５３１は、使用者が正当でないと判断すると、表示装置１による機密情報Ｘ１へのアクセスを制限する。また、管理部５３１は、通信部５１が前述の情報送信部２４１から送信される非装着情報Ｄ２０を受信すると、表示装置１による機密情報Ｘ１へのアクセスを制限する。
【００３９】
１−２．表示システムによる表示制御方法
図３は、第１実施形態における表示制御方法を説明するためのシーケンスチャートである。以下の表示制御方法における各処理は、表示装置１の制御部２６が記憶部２５に記憶される表示制御プログラムＰ１を読み出して実行することにより実現される。また、サーバー５は、表示装置１からの要求に応じて各処理を行う。なお、以下の表示システム１００による表示制御を説明するにあたって、ステップＳ１１以前では、表示装置１が使用者に取り付けられているものとする。また、ステップＳ１１以前では、表示装置１は、サーバー５から提供された機密情報Ｘ１に基づく画像と、記憶部２５に記憶される画像情報Ｄ４０に基づく画像とを表示可能であるものとする。
【００４０】
まず、図３に示すステップＳ１１において表示装置１の状態検出部２２が第２状態を検出すると、状態情報処理部２６２が非装着情報Ｄ２０を生成し、ステップＳ１２において、表示装置１の情報送信部２４１は、サーバー５に対して非装着情報Ｄ２０を送信する。
【００４１】
次に、サーバー５の通信部５１が非装着情報Ｄ２０を受信すると、これを契機として、ステップＳ１３において、サーバー５の管理部５３１は、表示装置１による機密情報Ｘ１へのアクセスを制限にする。
【００４２】
そして、アクセスの制限を受けて、ステップＳ１４において、表示装置１の表示制御部２６１は、画像の表示を停止する。画像の表示の停止とは、表示制御部２６１による画像表示部２１への画像信号の提供を停止して、画像表示部２１による画像の表示が行われないことをいう。そのため、画像の表示を停止すると、使用者は、サーバー５から提供された機密情報Ｘ１に基づく画像と、記憶部２５に記憶される画像情報Ｄ４０に基づく画像との双方を視認できない状態となる。
【００４３】
次に、ステップＳ１５において表示装置１の状態検出部２２が第１状態を検出すると、状態情報処理部２６２が装着情報Ｄ１０を生成し、ステップＳ１６において、表示装置１の情報送信部２４１は、サーバー５に対して装着情報Ｄ１０を送信する。
【００４４】
次に、ステップＳ１７において、サーバー５の管理部５３１は、通信部５１が装着情報Ｄ１０を取得することを契機として、表示装置１に対して認証のために用いる生体情報Ｄ３０の提供を要求する。当該要求を表示装置１の情報受信部２４２が受信すると、ステップＳ１８において、表示装置１の画像表示部２１は、表示制御部２６１の制御の下で認証用画像を表示する。認証用画像は、機密情報Ｘ１等の各種情報にアクセスするために必要な画像であり、使用者に対して認証のための操作を促すことを示す画像である。例えば、指紋認証によって認証させる場合、認証用画像には、使用者に対して、指紋認証のために特徴検出部２３の指紋検出器に指を接触させることを促す内容が示される。なお、ステップＳ１８では、表示制御部２６１は、認証用画像以外の画像の表示を停止し続ける。
【００４５】
次に、ステップＳ１９において、表示装置１の特徴検出部２３が使用者の生体的特徴を検出すると、特徴検出部２３が生体的特徴を基にして生体情報Ｄ３０を生成する。
【００４６】
次に、ステップＳ２０において、表示装置１の情報送信部２４１がサーバー５に対して生体情報Ｄ３０を送信すると、ステップＳ２１において、サーバー５の管理部５３１は、使用者の正当性を判断する。管理部５３１は、表示装置１が現在取り付けている使用者の正当性を、通信部５１で受信する生体情報Ｄ３０と記憶部５２に既に記録された生体情報Ｄ３とが一致するか否かにより判断する。一致すれば、使用者は正当であると判断する。一方、一致しなければ、使用者は正当でないと判断する。
【００４７】
次に、ステップＳ２２において、サーバー５の管理部５３１は、正当性の判断結果に応じて、機密情報Ｘ１へのアクセスの許可または不許可を実行する。管理部５３１は、ステップＳ２１で使用者が正当であると判断したら、表示装置１によるアクセスを許可する。この許可を受けて、表示装置１の画像表示部２１は、表示制御部２６１の制御の下で画像の表示が可能となる。それゆえ、表示装置１は、サーバー５から提供された機密情報Ｘ１に基づく画像と、記憶部２５に記憶される画像情報Ｄ４０に基づく画像との双方の表示を行うことが可能となる。一方、管理部５３１は、ステップＳ２１で使用者が正当でないと判断したら、表示装置１によるアクセスを不許可とする。つまり、管理部５３１は、表示装置１によるアクセスの制限を続行する。
【００４８】
以上説明したように、表示装置１は、使用者の頭部に取り付けられる装着部１０と、装着部１０に配置され、使用者が視認する画像を表示する画像表示部２１と、装着部１０の頭部に取り付けられる第１状態または頭部から取り外される第２状態とを検出する状態検出部２２と、状態検出部２２が第２状態を検出すると、画像表示部２１に対して画像の表示を停止させる表示制御部２６１と、を備える。本実施形態では、前述のように、ステップＳ１１で状態検出部２２が第２状態を検出すると、ステップＳ１４で表示制御部２６１が画像の表示を停止する。
【００４９】
かかる表示装置１によれば、使用者が表示装置１を取り外し、その後に他の使用者が表示装置１を取り付けても、画像の表示が停止されているため、他の使用者は画像を視認できない。そのため、表示装置１のセキュリティーを強化できる。それゆえ、他の使用者が表示装置１で画像を視認することで、情報を盗み見られるおそれを少なくすることができる。
【００５０】
また、前述のように、表示装置１は、状態検出部２２が第２状態を検出すると、第２状態を示す非装着情報を送信する情報送信部２４１をさらに備える。
【００５１】
表示装置１が情報送信部２４１を備えることで、表示装置１以外の機器に非装着情報Ｄ２０を提供できる。そのため、表示装置１以外の機器は、その非装着情報Ｄ２０を利用することができる。
【００５２】
本実施形態では、前述の表示装置１以外の機器が、サーバー５に相当する。サーバー５は、情報送信部２４１から送信される非装着情報Ｄ２０を受信すると、表示装置１によるサーバー５の各種情報に対するアクセスを制限する管理部５３１を備える。本実施形態では、管理部５３１は、ステップＳ１２で非装着情報Ｄ２０が送信されたことを契機として、ステップＳ１３において表示装置１による機密情報Ｘ１に対するアクセスを制限する。
【００５３】
サーバー５が管理部５３１を備えることで、情報送信部２４１が送信する非装着情報Ｄ２０を利用できる。具体的には、管理部５３１は、非装着情報Ｄ２０をアクセス制限の契機として利用でき、それを契機として機密情報Ｘ１に対するアクセスを制限できる。そのため、表示システム１００のセキュリティーをより強化できる。それゆえ、サーバー５から提供される機密情報Ｘ１を盗み見られるおそれを少なくすることができる。
【００５４】
なお、前述の表示装置１以外の機器は、サーバー５に限定されない。つまり、情報送信部２４１は、サーバー５以外の機器に非装着情報Ｄ２０を送信してもよい。例えば、情報送信部２４１は、使用者のスマートフォン等の携帯端末に、非装着情報Ｄ２０を送信してもよい。この場合、例えば、情報送信部２４１は、状態検出部２２が第２状態を検出して表示制御部２６１によって表示が停止した場合、非装着情報Ｄ２０、および表示の停止が行われたことを示す情報を携帯端末に送信する。これら情報を携帯端末で受信することで、使用者は、表示装置１について、第２状態により表示が停止されたことを知ることができる。そのため、使用者は、表示装置１のセキュリティーの安全性が確保されていることを確認できる。
【００５５】
また、前述のように、表示装置１は、使用者の生体的特徴を検出する特徴検出部２３をさらに備える。
【００５６】
表示システム１００が特徴検出部２３を備えることで、管理部５３１は生体的特徴に基づく生体情報Ｄ３０を基にして使用者の正当性の判断に利用することができる。そして、管理部５３１は使用者の正当性を肯定すると機密情報Ｘ１へのアクセスの制限を解除する。このように生体的特徴を基にして使用者の正当性を判断し、アクセスの許可または不許可を決定するので、表示システム１００のセキュリティーをより強化できる。なお、前述のように、アクセスの制限が解除されると画像表示部２１は画像を表示するため、正当な使用者は、画像を視認できる。
【００５７】
また、前述の説明では、管理部５３１による使用者の正当性の判断結果を基にして、機密情報Ｘ１に基づく画像と、画像情報Ｄ４０に基づく画像との双方の表示が可能となるが、機密情報Ｘ１に基づく画像のみの表示が可能となってもよい。この場合、表示装置１の制御部２６が、サーバー５の管理部５３１と同様に使用者の正当性の判断を行うよう構成されていて、画像表示部２１が、その判断の結果を基にして画像情報Ｄ４０に基づく画像を表示してもよい。また、この場合、機密情報Ｘ１へのアクセスのために用いられる生体的特徴と、画像情報Ｄ４０に基づく画像の表示のために用いられる生体的特徴とは、それぞれ異なっていてもよい。例えば、機密情報Ｘ１へのアクセスのためには、指紋認証を用い、画像情報Ｄ４０に基づく画像の表示のためには、虹彩認証を用いること等が可能である。
【００５８】
２．第２実施形態
次に、本発明の第２実施形態について説明する。図４は、第２実施形態における表示システムによる動作の一例を説明するためのシーケンスチャートである。図５は、第２実施形態における表示装置の使用者への返却を促すことを示す画像の一例である。
【００５９】
本実施形態は、表示装置が使用者の正当性の判断結果に対応する画像を表示すること以外は、第１実施形態と同様である。なお、以下の説明では、本実施形態に関し、第１実施形態との相違点を中心に説明し、同様の事項に関してはその説明を省略する。また、図４において、第１実施形態と同様の構成については、同一符号を付す。
【００６０】
図４に示す表示制御方法では、ステップＳ２１においてサーバー５の管理部５３１が使用者の正当性を判断したら、ステップＳ２３において、サーバー５の通信部２４は、表示装置１に対し判断結果を通知する。表示装置１の情報受信部２４２が判断結果を受けたら、ステップＳ２４において、表示装置１の表示制御部２６１は、判断結果に対応する画像を表示する。例えば、使用者が正当である場合、画像表示部２１は、例えば表示制御部２６１の制御の下でステップＳ１１以前に表示していた画像を表示する。一方、使用者が正当でない場合、画像表示部２１は、表示制御部２６１の制御の下、表示装置１を正当な使用者に返却することを促す旨を示す画像を表示する。例えば、図５に示すように、画像表示部２１は、表示装置１の正当な使用者に返却すること促す内容が示された画像Ｖ１を表示する。なお、返却することを促す旨を示す画像は、画像Ｖ１に限定されず、いかなる表示態様であってもよい。
【００６１】
本実施形態では、ステップＳ１５において状態検出部２２が第１状態を検出すると、ステップＳ１９において特徴検出部２３は生体的特徴を検出し、ステップＳ２１において管理部５３１は生体的特徴に基づく情報である生体情報Ｄ３０を基にして表示装置１の使用者の正当性を判断する。そして、前述のように、ステップＳ２４において、画像表示部２１は、管理部５３１の判断結果に対応する画像を表示する。
【００６２】
画像表示部２１は、管理部５３１の正当性の判断結果に応じて、使用者が正当である場合と正当でない場合とのそれぞれに対して適切な画像を表示するため、表示システム１００のセキュリティーの安全性を確保しつつ、使用者の利便性を高めることができる。
【００６３】
また、前述のように、管理部５３１が使用者の正当性を否定すると、ステップＳ２４において、画像表示部２１は、表示装置１の返却を促すことを示す画像Ｖ１を表示する。
【００６４】
画像Ｖ１の表示することで、表示装置１の取り違いを防ぐことができる。画像Ｖ１の表示は、複数の表示装置１が用いられる状況下において有効であり、例えば、学校または工場等で用いる場合に特に有効である。
【００６５】
以上説明した本実施形態によっても、第１実施形態と同様に、表示システム１００のセキュリティーを強化することができる。
【００６６】
３．第３実施形態
次に、本発明の第３実施形態について説明する。図６は、第３実施形態における表示システムによる動作の一例を説明するためのシーケンスチャートである。なお、本実施形態の特徴検出部２３は、使用者が特定の操作を行わなくても生体的特徴を検出可能であることが好ましく、例えば、虹彩を検出する態様が該当する。
【００６７】
本実施形態は、第２状態の検出を複数回行うこと、および使用者の正当性の判断を複数回行うことが主に異なること以外は、第１実施形態と同様である。なお、以下の説明では、本実施形態に関し、第１実施形態との相違点を中心に説明し、同様の事項に関してはその説明を省略する。また、図６において、第１実施形態と同様の構成については、同一符号を付す。
【００６８】
図６に示す表示制御方法では、所定期間Ｔにおいて、ステップＳ１１における第２状態の検出およびステップＳ１２における非装着情報Ｄ２０の送信を複数回行う。所定期間Ｔの開始時は、第２状態を検出した時である。また、所定期間Ｔの終了時は、任意に設定可能である。
【００６９】
そして、情報送信部２４１が、所定期間Ｔにおいて複数回非装着情報Ｄ２０を送信すると、ステップＳ１３において、管理部５３１は、表示装置１による機密情報Ｘ１に対するアクセスを制限する。なお、図示の例では、前述の複数回とは、３回であるが、２回でも４回以上でもよい。
【００７０】
管理部５３１が第２状態を複数回受信したらアクセスを制限することで、管理部５３１が第２状態を１回受信したらアクセスを制限する場合に比べ、状態検出部２２による第２状態の検出の確実性を高めることができる。そのため、使用者にとって意図しないアクセス制限を抑制できる。
【００７１】
また、本実施形態では、ステップＳ１９〜Ｓ２３の処理を定期的に繰り返し行う。つまり、特徴検出部２３が生体的特徴を定期的に検出し、管理部５３１が使用者の正当性を定期的に判断する。具体的には、特徴検出部２３は、ステップＳ２３において前回のアクセス許可から所定時間が経過したか否を判定し、所定時間が経過するまで判定を繰り返す。そして、判定結果が肯定になると、処理がステップＳ１９に戻される。この結果、ステップＳ１９〜Ｓ２３の処理が定期的に実行される。
【００７２】
生体的特徴を定期的に検出して、その生体的特徴を基にして、管理部５３１が使用者の正当性を定期的に判断することで、表示システム１００のセキュリティーを高めることができる。なお、ステップＳ１９〜Ｓ２２は、不定期に行ってもよい。
【００７３】
以上説明した本実施形態によっても、第１実施形態と同様に、表示システム１００のセキュリティーを強化することができる。
【００７４】
４．第４実施形態
次に、本発明の第４実施形態について説明する。図７は、第４実施形態における表示装置のブロック図を示す図である。図８は、第４実施形態における表示装置による動作の一例を説明するためのシーケンスチャートである。
【００７５】
本実施形態は、サーバーが存在しておらず、表示装置が判断部を備えることが主に異なること以外は、第１実施形態と同様である。なお、以下の説明では、本実施形態に関し、第１実施形態との相違点を中心に説明し、同様の事項に関してはその説明を省略する。また、図７および図８において、第１実施形態と同様の構成については、同一符号を付す。
【００７６】
図７に示す表示装置１Ａが有する制御部２６Ａは、判断部２６４を有する。判断部２６４は、表示装置１の使用者の正当性を判断する。具体的には、判断部２６４は、特徴検出部２３が検出す生体的特徴に基づく情報と、記憶部２５に記憶される生体情報Ｄ３とを基にして、使用者の正当性を判断する。
【００７７】
図８に示すように、表示装置１Ａによる表示制御方法では、ステップＳ１１において状態検出部２２が第２状態を検出すると、ステップＳ１４において、表示装置１の表示制御部２６１は、画像の表示を停止する。その後、ステップＳ１５において状態検出部２２が第１状態を検出すると、ステップＳ１８において、画像表示部２１は、認証用画像を表示する。また、ステップＳ１９において、特徴検出部２３は、使用者の生体的特徴を検出する。そして、ステップＳ２５において、判断部２６４は、使用者の正当性を判断する。判断部２６４が使用者は正当であると判断したら、ステップＳ２６において、画像表示部２１は、表示制御部２６１の制御の下で、ステップＳ１１以前に表示していた画像を表示する。一方、ステップＳ２５において判断部２６４が使用者は正当でないと判断したら、ステップＳ２７において、画像表示部２１は、表示制御部２６１の制御の下で表示装置１の返却を促すことを示す図５の画像Ｖ１を表示する。なお、ステップＳ２７では、表示制御部２６１は、画像表示部２１による画像Ｖ１の表示を行わずに、表示の停止を続行することのみを行ってもよい。
【００７８】
本実施形態によっても、第１実施形態と同様に、使用者は表示装置１Ａに記憶されている画像情報Ｄ４０等の各種情報の利用ができなくなる。そのため、表示装置１Ａのセキュリティーを強化することができる。
【００７９】
以上、本発明の頭部装着表示装置および表示システムは、好適な実施形態に基づいて説明したが、本発明は前述の各実施形態に限定されない。また、本発明の各部の構成は、前述の実施形態の同様の機能を発揮する任意の構成に置換でき、また、任意の構成を付加できる。
【００８０】
また、本発明の頭部装着表示装置は、装着部と画像表示部と状態検出部と表示制御部とを少なくとも備えていればよく、「特徴検出部」を必ずしも備えていなくてもよい。また、本発明の表示システムは、画像表示部と状態検出部と情報送信部と管理部とを備えていればよく、「特徴検出部」を必ずしも備えていなくてもよい。
【符号の説明】
【００８１】
１…表示装置、５…サーバー、１０…装着部、１１…フロント部、１２Ｌ…テンプル部、１２Ｒ…テンプル、１３…ノーズパッド、２１…画像表示部、２２…状態検出部、２３…特徴検出部、２４…通信部、２５…記憶部、２６…制御部、２６Ａ…制御部、４０…ネットワーク、４１…無線機、５１…通信部、５２…記憶部、５３…制御部、１００…表示システム、２１１…駆動回路、２１２…映像光生成部、２１３…光学系、２４１…情報送信部、２４２…情報受信部、２６１…表示制御部、２６２…状態情報処理部、２６３…生体情報処理部、２６４…判断部、５３１…管理部、Ｄ１０…装着情報、Ｄ２０…非装着情報、Ｄ３…生体情報、Ｄ３０…生体情報、Ｄ４０…画像情報、Ｐ１…表示制御プログラム、Ｔ…所定期間、Ｖ１…画像、Ｘ１…機密情報。
【図１】
2020027192.tif 000003
【図２】
2020027192.tif 000004
【図３】
2020027192.tif 000005
【図４】
2020027192.tif 000006
【図５】
2020027192.tif 000007
【図６】
2020027192.tif 000008
【図７】
2020027192.tif 000009
【図８】
2020027192.tif 000010